(57)【要約】【課題】筺体内部に浸入した水を排出する水抜き構造を維持した状態で、筺体の内部に浸入した流体が当該筺体の内部で流動し難い電気機器の筺体構造を提供する。【解決手段】機器本体１０および機器本体１０の少なくとも一部を覆う封止体２０を有する筺体Ｙを備え、筺体Ｙの内部に浸入した水を筺体Ｙの外部に排出する排出孔２５と、排出孔２５から筺体Ｙの内部に流体が浸入したときに、流体の浸入が妨げられるように立設してある障壁部５０ａ〜５０ｃを複数備えた電気機器Ｘの筺体構造。【選択図】図４
2014086637.tif 000002
【特許請求の範囲】
【請求項１】
機器本体および当該機器本体の少なくとも一部を覆う封止体を有する筺体を備え、
前記筺体の内部に浸入した水を前記筺体の外部に排出する排出孔と、
前記排出孔から前記筺体の内部に流体が浸入したときに、当該流体の浸入を妨げるように立設してある障壁部を複数備えた電気機器の筺体構造。
【請求項２】
前記複数の障壁部が、前記排出孔に対面して前記排出孔に対して平行に立設してある第一障壁板と、
前記電気機器の設置姿勢において、前記第一障壁板の上方で、下方に傾斜するように立設してある第二障壁板と、を有する電気機器の筺体構造。
【発明の詳細な説明】
【技術分野】
【０００１】
本発明は、壁面に設置される防災用又は防犯用の電気機器において、当該電気機器の内部空間に浸入した水を電気機器の外部に排出する水抜き構造を備えた筺体構造に関する。
【背景技術】
【０００２】
電気機器の一種として、壁面に設置される防災用又は防犯用の警報器がある。このような電気機器には、通常、当該警報器が水に晒された場合であってもその機能を維持する必要があるため、例えば当該警報器の内部に浸入した水を抜く水抜き構造が設けられる。
【０００３】
例えば当該水抜き構造として、特許文献１には、機器本体と、機器本体の少なくとも一部を覆う封止体との相互間に止水壁を設けたものが記載してある。当該止水壁は、具体的には機器本体に形成された立ち上げ部であり、当該立ち上げ部の周面に複数の止水リブが形成されている。複数の止水リブは、相互に所定間隔を隔てて配置されており、最初の止水リブによって浸入してきた水を堰き止めることができる。仮に最初の止水リブを越えて電気機器の内部空間側に水が浸入しようとする場合でも、次の止水リブで順次堰き止めることができる。
【０００４】
これら複数の止水リブは、電気機器の内部に入り込む水を外部に排水するための水抜き路の壁を形成している。このような水抜き路は、止水リブの数に応じて、一本あるいは複数本形成される。当該水抜き路は、電気機器を設置した姿勢において、機器本体の上部から側部、さらに下部に至るように、途切れることなく連続的に形成されている。従って、浸入してきた水が最初の止水リブで堰き止められると、最初の水抜き路を伝って機器本体の下部に至る。仮に浸入してきた水が最初の止水リブを乗り越えた場合でも、次の止水リブで堰き止められて次の水抜き路を伝って機器本体の下部に至る。このように水抜き路によって排水効果を高め、水が機器本体の内部空間側に浸入するのを防止できる。
【先行技術文献】
【特許文献】
【０００５】
【特許文献１】特開２００７−１０２５５５号公報
【発明の概要】
【発明が解決しようとする課題】
【０００６】
電気機器として、例えばガス警報器を浴室の壁面に設置する場合がある。当該ガス警報器において、例えば筺体の側面に水抜き孔が形成されているような場合、当該水抜き孔から湯気や水などの流体が浸入する虞があった。
この場合、浸入した流体が筺体の内部で自由に流動できるような内部構造であれば、当該流体が例えば基板や電池と接触してこれら部材の表面で結露して例えば短絡する等、ガス警報器の動作不良の原因となる虞があった。
【０００７】
従って、本発明の目的は、筺体内部に浸入した水を排出する水抜き構造を維持した状態で、筺体の内部に浸入した流体が当該筺体の内部で流動し難い電気機器の筺体構造を提供することにある。
【課題を解決するための手段】
【０００８】
上記目的を達成するための本発明に係る電気機器の筺体構造の第一特徴構成は、機器本体および当該機器本体の少なくとも一部を覆う封止体を有する筺体を備え、前記筺体の内部に浸入した水を前記筺体の外部に排出する排出孔と、前記排出孔から前記筺体の内部に流体が浸入したときに、当該流体の浸入を妨げるように立設してある障壁部を複数備えた点にある。
【０００９】
本構成によれば、排出孔から筺体の内部に流体が浸入した場合、障壁部によって当該流体の浸入が妨げられる。即ち、障壁部により、浸入した流体の流動は規制されるため、当該流体は筺体の内部で自由に流動し難くなり、例えば電気機器の筺体内部に配設してある基板部や電池と接触してこれら部材の表面で結露するのを未然に防止することができる。そのため、ガス警報器が当該結露を原因として、例えば短絡する等の動作不良を起こすのを防止できる。
【００１０】
従って、本発明の電気機器の筺体構造は、筺体の内部に浸入した水を筺体の外部に排出する排出孔を閉じたり、排出孔の孔径を小さくする等の改変をすることなく、水抜き構造を維持した状態で、筺体の内部に浸入した流体が当該筺体の内部で流動し難い構造となる。
【００１１】
本発明に係る電気機器の筺体構造の第二特徴構成は、前記複数の障壁部が、前記排出孔に対面して前記排出孔に対して平行に立設してある第一障壁板と、前記電気機器の設置姿勢において、前記第一障壁板の上方で、下方に傾斜するように立設してある第二障壁板と、を有する点にある。
【００１２】
本構成では、排出孔から浸入した流体は、まず、排出孔に対面して排出孔に対して平行に立設してある第一障壁板に突き当たり、流体の浸入が妨げられる。第一障壁板に突き当たった流体が当該第一障壁板の上方に移動した場合、第二障壁板に突き当たり、流体の浸入が妨げられる。第二障壁板は下方に傾斜するように設けてあるため、当該第二障壁板および筺体で囲まれた領域に流体の一部を滞留させることができる。
【００１３】
さらに、本構成では、第二障壁板の上方から、筺体の内部に浸入した水が第二障壁板に流下した場合であっても、第二障壁板は下方に傾斜するように設けてあり、この水は第二障壁板に沿って下方に流下することができるため、筺体の内部に浸入した水は当該筺体の内部に溜まり難い。そのため、本構成においては、電気機器の水抜き構造を維持した状態で、筺体の内部に浸入した流体が当該筺体の内部でより一層流動し難い構造とすることができる。
【図面の簡単な説明】
【００１４】
【図１】電気機器の概要を示す斜視図である。
【図２】電気機器の分解斜視図である。
【図３】電気機器の分解斜視図である。
【図４】電気機器の断面概略図（図１のＩＶ-ＩＶ断面図）である。
【図５】電気機器の断面概略図（図１のＶ-Ｖ断面図）である。
【発明を実施するための形態】
【００１５】
以下、本発明の実施形態を図面に基づいて説明する。
本発明は、機器本体および当該機器本体の少なくとも一部を覆う封止体によって形成された筺体を有する電気機器の筺体構造である。
【００１６】
図１〜５に示したように、当該電気機器Ｘは、機器本体１０および当該機器本体１０の少なくとも一部を覆う封止体２０を有する筺体Ｙを備えている。電気機器Ｘの筺体構造は、筺体Ｙの内部に浸入した水を筺体Ｙの外部に排出する排出孔２５と、当該排出孔２５から筺体Ｙの内部に流体が浸入したときに、当該流体の浸入を妨げるように立設してある障壁部５０を複数備えている。
【００１７】
電機機器Ｘは、屋内や屋外で壁面に設置する態様であればどのような機器であってもよい。当該壁面に設置する電機機器としては、例えば防災用又は防犯用の警報器が挙げられる。当該警報器は、その内部に外部環境の変化を検知する検知部３１を備える。当該検知部３１は外部環境の変化を検知するセンサであればよく、このようなセンサとして、酸素センサ、ＣＯセンサ、都市ガスセンサ、ＬＰガスセンサなどのガスセンサ、火災センサなどを使用することができるが、これに限られるものではない。
【００１８】
ガスセンサは、被検知ガスを検知するものであればどのような態様であってもよい。例えば酸素センサは酸素ガスを検出でき、ＣＯセンサは不完全燃焼で発生する一酸化炭素ガスを検出でき、都市ガスセンサやＬＰガスセンサは炭化水素ガス等の漏洩ガスを検出することができるものであれば、公知の半導体式センサ素子、接触燃焼式センサ素子および電気化学式センサ素子などが使用できる。
火災センサは、温度の上昇を感知する温度センサや、煙感知機能を有する公知の散乱光式煙センサなどが使用できる。
【００１９】
本実施形態では、警報器として、不完全燃焼を検出するため、ＣＯガスの漏洩を検知するガス警報器Ｘを浴室の壁面に設置する態様について説明する。当該ガス警報器Ｘの形状は特に限定されるものではないが、本実施形態では上面視で矩形状であり、厚板状（例えば１２×７×２．５ｃｍ）の形状を呈するものを例示する。この場合、当該ガス警報器Ｘは、例えばその長辺を地面に垂直に設置する縦置き姿勢（設置姿勢）によって設置することができる。
【００２０】
機器本体１０は基板部３０を収容しており、底面１１と側面１２とを一体に形成して構成されている。即ち、底面１１および側面１２とで囲まれた空間に基板部３０が収容される。側面１２の端部（封止体２０の側）には、封止体２０と重ね配置される本体周縁端部１２ａが形成してある。本体周縁端部１２ａには、ガス警報器Ｘの周縁に沿うように溝部Ｂが形成してある。また、本体周縁端部１２ａには、その全周に亘って複数の防水リブ１２ｂが形成されており、溝部Ｂは、隣接する防水リブ１２ｂどうしの間の空間で構成される。溝部Ｂおよび防水リブ１２ｂは、水の浸入方向に対して略直交する方向に設けられているため、防水リブ１２ｂによって浸入してきた水を堰き止めることができる。堰き止められた水は溝部Ｂを伝ってガス警報器Ｘの下方に流れ落ちて外部に排出することができる。
【００２１】
封止体２０は、機器本体１０の少なくとも一部を覆う部材である。本実施形態では、封止体２０は、機器本体１０の全体を覆う場合について説明する。
【００２２】
封止体２０には、スピーカ部３２が発した警報音を外部に放音するスピーカ開口部２４、筺体Ｙの内部に浸入した水を筺体Ｙの外部に排出する排出孔２５、被検知ガスを検知部３１に導入する被検知ガス導入口２６、および、スイッチ操作を行うスイッチ押圧部２７が形成してあり、封止体２０の裏面に形成した凹部には、導光部２８や電池２９ａが配設してある。
尚、封止体２０の表面には封止板４０を貼り付けてある。当該封止板４０には、スピーカ開口部２４や被検知ガス導入口２６に対応するスピーカ開口部４４および被検知ガス導入口４６がそれぞれ形成してある。
【００２３】
基板部３０には、検知部３１、スピーカ部３２、ＬＥＤ３３およびスイッチ部３４などの部品が配設してある。本実施形態では、ＣＯガスを検知する検知部３１として、電気化学式ＣＯセンサを使用した場合について説明する。電気化学式ＣＯセンサとは、ＣＯガスを、隔膜を通して触媒作用を有する作用電極上に導き、ＣＯガスを酸化することによりガス濃度に応じた電圧または電流を出力するセンサである。スピーカ部３２は、検知部３１からの信号を受けて警報音を発するものであればどのような態様であってもよく、例えば圧電スピーカなどを使用することができる。ＬＥＤ３３が発した光は、導光部２８を介して外部に放出される。
【００２４】
検知部３１は、封止体２０から筺体Ｙの内部の側に向って立設した収容部２２に収容してある。当該収容部２２は、検知部３１である電気化学式ＣＯセンサを収容できる形態であればその形状は特に限定されるものではなく、本実施形態では、矩形状を呈する場合を例示する。収容部２２は、封止体２０の裏面から立設し、基板部３０によって収容部２２の矩形状の開口が塞がれる。
【００２５】
本発明の電気機器（ガス警報器）Ｘの筺体構造は、排出孔２５から筺体Ｙの内部に流体が浸入したときに、当該流体の浸入を妨げるように立設してある障壁部５０を複数備えている。
【００２６】
本実施形態では、ガス警報器Ｘを浴室の壁面に設置する態様であるため、当該流体は湯気、水蒸気、水などが例示される。
【００２７】
排出孔２５から筺体Ｙの内部に流体（例えば湯気）が浸入した場合、障壁部５０によって当該流体の浸入が妨げられる。即ち、障壁部５０により、浸入した流体の流動は規制されるため、当該流体は筺体Ｙの内部で自由に流動し難くなり、排出孔２５から筺体Ｙの内部深くまで浸入するのを防止できる。そのため、当該筺体Ｙの内部に配設してある部材、例えば基板部３０や電池２９と接触してこれら部材の表面で結露するのを未然に防止することができる。
【００２８】
本実施形態では、複数の障壁部５０が、排出孔２５に対面して排出孔２５に対して平行に立設してある第一障壁板５０ａと、ガス警報機Ｘの設置姿勢において、第一障壁板５０ａの上方で、下方に傾斜するように立設してある第二障壁板５０ｂと、を有するように構成してある。
【００２９】
本明細書では「ガス警報機Ｘの設置姿勢」とは、ガス警報器Ｘの筺体Ｙを垂直に設置した姿勢をいうものとする。
【００３０】
本実施形態では、図３，５に示したように、第一障壁板５０ａは機器本体１０の底面１１の裏面のみから立設し、第二障壁板５０ｂは機器本体１０の側面１２および封止体２０の側面（封止端部２１）から立設する場合を例示するが、この態様に限定されるものではない。また、第二障壁板５０ｂの上方には、下方に傾斜するように立設してある第三障壁板５０ｃを設けてもよい。当該第三障壁板５０ｃは、機器本体１０側の電池収容室２９および封止体２０側の電池収容室２９より立設する。
【００３１】
第一障壁板５０ａの設置角度は、当該流体の浸入を妨げるように立設してあれば、排出孔２５に対して平行に立設するほか、下方に傾斜するように立設してもよい。第二障壁板５０ｂおよび第三障壁板５０ｃの設置角度についても、当該流体の浸入を妨げるように立設してあれば、特に限定されるものではない。
【００３２】
本構成では、排出孔２５から浸入した流体（湯気）は、まず、排出孔２５に対面して排出孔２５に対して平行に立設してある第一障壁板５０ａに突き当たり、流体の浸入が妨げられる。第一障壁板５０ａに突き当たった流体が当該第一障壁板５０ａの上方に移動した場合、第二障壁板５０ｂに突き当たり、流体の浸入を妨げられる。第二障壁板５０ｂは下方に傾斜するように設けてあるため、当該第二障壁板５０ｂおよび封止体２０で囲まれた領域には溜り部５１が形成され、当該溜まり部５１に流体の一部が滞留する。
【００３３】
さらに、第二障壁板５０ｂより上方に移動した流体は、第三障壁板５０ｃに突き当たり、流体の浸入を妨げられる。第三障壁板５０ｃは下方に傾斜するように設けてあるため、当該第三障壁板５０ｃおよび封止体２０で囲まれた領域には溜り部５２が形成され、当該溜まり部５２に流体の一部が滞留する。
【００３４】
さらに、本構成では、第二障壁板５０ｂ或いは第三障壁板５０ｃの上方から、筺体の内部に浸入した水が第二障壁板５０ｂ或いは第三障壁板５０ｃに流下した場合であっても、第二障壁板５０ｂおよび第三障壁板５０ｃは下方に傾斜するように設けてあるため、この水は第二障壁板５０ｂ或いは第三障壁板５０ｃに沿って下方に流下することができる。このように、本構成であれば、筺体の内部に浸入した水は当該筺体の内部に溜まり難い。
【００３５】
よって、本発明のガス警報器Ｘの筺体構造は、筺体Ｙ内部に浸入した水を排出する水抜き構造を維持した状態で、筺体Ｙの内部に浸入した湯気などの流体が当該筺体Ｙの内部で流動し難い構造となる。
【産業上の利用可能性】
【００３６】
本発明は、壁面に設置される防災用又は防犯用の電気機器において、当該電気機器の内部空間に浸入した水を電気機器の外部に排出する水抜き構造を備えた筺体構造に利用できる。
【符号の説明】
【００３７】
Ｘ          電気機器
Ｙ          筺体
１０        機器本体
２０        封止体
２５        排出孔
５０        障壁部
５０ａ      第一障壁板
５０ｂ      第二障壁板
【図１】
2014086637.tif 000003
【図２】
2014086637.tif 000004
【図３】
2014086637.tif 000005
【図４】
2014086637.tif 000006
【図５】
2014086637.tif 000007